(57)【要約】      （修正有）【課題】  露光装置において、複数のライン状光源の各露光時間に基づいてライン状光源の間隔を設定することにより、記録画素の位置ずれを防ぐこと。【解決手段】  感光性記録材料の移動方向と略垂直な方向に発光素子が複数配設されたライン状光源が、感光性記録材料の移動方向にｎ列（ｎは２以上の整数）配置され、ライン状光源が順次発光して記録される記録画素の中心間距離をＰとしたとき、ライン状光源の発光順が前記感光性記録材料の移動と同じ向きのとき、隣り合う前記ライン状光源の中心間距離ＬｉをＬｉ＝｛ｋｉ＋（１／２）・（ｔｉ＋ｔｉ＋１）／Ｔ）｝・Ｐ（但し、ｉは１≦ｉ≦ｎ−１の整数、ｋｉは１以上の整数、ｔｉはｉ列目のライン状光源の露光時間、ＴはΣｔｉ＋１）とし、ライン状光源の発光順が前記感光性記録材料の移動と逆向きのとき、Ｌｉ＝｛ｋｉ−（１／２）・（ｔｉ＋ｔｉ＋１）／Ｔ｝・Ｐとする。【選択図】  図３
2006259322.tif 000002
【特許請求の範囲】
【請求項１】
複数の発光素子から発せられた光を感光性記録材料に露光することによって該感光性記録材料上に画像を記録する露光装置において、
前記感光性記録材料の移動方向と略垂直な方向に前記発光素子が複数配設されたライン状光源が、前記感光性記録材料の移動方向にｎ列（ｎは２以上の整数）配置され、
前記ライン状光源が順次発光して記録される記録画素の中心間距離をＰとしたとき、隣り合う前記ライン状光源の中心間距離Ｌｉが、前記ライン状光源の発光順が前記感光性記録材料の移動と同じ向きのとき、
Ｌｉ＝｛ｋｉ＋（１／２）・（ｔｉ＋ｔｉ＋１）／Ｔ｝・Ｐ
（但し、ｉは１≦ｉ≦ｎ−１の整数、ｋｉは１以上の整数、ｔｉはｉ列目の前記ライン状光源の露光時間、ＴはΣｔｉ＋１）
であり、前記ライン状光源の発光順が前記感光性記録材料の移動と逆向きのとき、
Ｌｉ＝｛ｋｉ−（１／２）・（ｔｉ＋ｔｉ＋１）／Ｔ｝・Ｐ
であることを特徴とする露光装置。
【請求項２】
複数の発光素子から発せられた光を感光性記録材料に露光することによって該感光性記録材料上に画像を記録する露光装置において、
前記感光性記録材料の移動方向と略垂直な方向に前記発光素子が複数配設されたライン状光源が、前記感光性記録材料の移動方向に３列配置され、該３列のライン状光源のうち、中央のライン状光源の露光時間が他のライン状光源の露光時間のｑ倍（ｑは０より大きい数値）の露光時間であり、
前記ライン状光源が順次発光して記録される記録画素の中心間距離をＰとしたとき、隣り合う前記ライン状光源の中心間距離Ｌが、前記ライン状光源の発光順が前記感光性記録材料の移動と同じ向きのとき、
Ｌ＝｛ｋ＋（１／２）・（ｑ＋１）／（ｑ＋２）｝・Ｐ
（但し、ｋは１以上の整数）
であり、前記ライン状光源の発光順が前記感光性記録材料の移動と逆向きのとき、
Ｌ＝｛ｋ−（１／２）・（ｑ＋１）／（ｑ＋２）｝・Ｐ
であることを特徴とする露光装置。
【請求項３】
前記複数のライン状光源のうち、少なくとも１つのライン状光源が他のライン状光源と異なる色相の光を発光するものであることを特徴とする請求項１又は２に記載の露光装置。
【請求項４】
前記複数のライン状光源が、それぞれ異なる色相の光を発光するものであることを特徴とする請求項１又は２に記載の露光装置。
【発明の詳細な説明】
【技術分野】
【０００１】
本発明は、複数の発光素子から発せられた光を感光性記録材料に露光することによって画像を記録する露光装置に関するものである。
【背景技術】
【０００２】
従来より、複数の発光素子が配列されてなる複数のライン状光源と、画像データに基づいて上記複数の発光素子の各々の発光輝度や露光時間を制御する駆動回路とを備え、ライン状光源から発せられた光を感光材料（感光性記録材料）に露光することにより画像を記録する露光装置が知られている。
【０００３】
このような露光装置は、感光材料の移動方向に複数のライン状光源が配置されて各ライン状光源が感光材料に対して相対的に移動しながら順次発光する。このため、各ライン状光源の露光時間中に感光材料が移動した分だけ感光材料上に記録される画素に位置ずれが生じてしまう。そこで、例えば特許文献１に開示されている発明のように、各ライン状光源の発光タイミングを考慮して隣り合うライン状光源の間隔を規定することで位置ずれを解消する技術が知られている。
【特許文献１】特開２００２−５２７５４号公報
【発明の開示】
【発明が解決しようとする課題】
【０００４】
しかしながら、複数のライン状光源のうち、発光効率の悪い発光素子によって構成されたライン状光源が存在すると、記録された画像の色バランスが悪くなり、画質の低下を招いていた。しかし、画像の色バランスを調整するために、例えば発光効率の悪い発光素子に供給する電圧・電流を上げると、露光装置の消費電力増大の原因となっていた。
【０００５】
また、画像の色バランスを調整するために、発光効率の悪い発光素子の露光時間を長くすると、他の発光素子の発光タイミングがずれるため、画素の位置ずれが発生してしまう。特許文献１に開示された発明は、各ライン状光源の露光時間が同じときに有効であり、上記のような問題は解決できなかった。
【０００６】
本発明は、上記事情に鑑み、複数のライン状光源の各露光時間に基づいてライン状光源の間隔を設定することにより、画素の位置ずれを防いだ露光装置を提供することを目的とするものである。
【課題を解決するための手段】
【０００７】
請求項１に記載の発明の露光装置は、複数の発光素子から発せられた光を感光性記録材料に露光することによって該感光性記録材料上に画像を記録する露光装置において、前記感光性記録材料の移動方向と略垂直な方向に前記発光素子が複数配設されたライン状光源が、前記感光性記録材料の移動方向にｎ列（ｎは２以上の整数）配置され、前記ライン状光源が順次発光して記録される記録画素の中心間距離をＰとしたとき、隣り合う前記ライン状光源の中心間距離Ｌｉが、前記ライン状光源の発光順が前記感光性記録材料の移動と同じ向きのとき、
Ｌｉ＝｛ｋｉ＋（１／２）・（ｔｉ＋ｔｉ＋１）／Ｔ｝・Ｐ
（但し、ｉは１≦ｉ≦ｎ−１の整数、ｋｉは１以上の整数、ｔｉはｉ列目の前記ライン状光源の露光時間、ＴはΣｔｉ＋１）
であり、前記ライン状光源の発光順が前記感光性記録材料の移動と逆向きのとき、
Ｌｉ＝｛ｋｉ−（１／２）・（ｔｉ＋ｔｉ＋１）／Ｔ｝・Ｐ
であることを特徴とする。
【０００８】
ここで「前記ライン状光源の発光順が前記感光性記録材料の移動と同じ向き」とは、複数のライン状光源のうち発光するライン状光源が移動する感光性記録材料を追いかけるように順次切り替わることを意味し、「前記ライン状光源の発光順が前記感光性記録材料の移動と逆向き」とは、複数のライン状光源のうち発光するライン状光源が感光性記録材料の移動する向きと逆の方向に順次切り替わることを意味する。
【０００９】
請求項２に記載の発明の露光装置は、複数の発光素子から発せられた光を感光性記録材料に露光することによって該感光性記録材料上に画像を記録する露光装置において、前記感光性記録材料の移動方向と略垂直な方向に前記発光素子が複数配設されたライン状光源が、前記感光性記録材料の移動方向に３列配置され、該３列のライン状光源のうち、中央のライン状光源の露光時間が他のライン状光源の露光時間のｑ倍（ｑは０より大きい数値）の露光時間であり、前記ライン状光源が順次発光して記録される記録画素の中心間距離をＰとしたとき、隣り合う前記ライン状光源の中心間距離Ｌが、前記ライン状光源の発光順が前記感光性記録材料の移動と同じ向きのとき、
Ｌ＝｛ｋ＋（１／２）・（ｑ＋１）／（ｑ＋２）｝・Ｐ
（但し、ｋは１以上の整数）
であり、前記ライン状光源の発光順が前記感光性記録材料の移動と逆向きのとき、
Ｌ＝｛ｋ−（１／２）・（ｑ＋１）／（ｑ＋２）｝・Ｐ
であることを特徴とする。
【００１０】
また、請求項３に記載の発明のように、請求項１又は２に記載の露光装置であって、前記複数のライン状光源のうち、少なくとも１つのライン状光源が他のライン状光源と異なる色相の光を発光するものであることとしてもよい。
【００１１】
また、請求項４に記載の発明のように、請求項１又は２に記載の露光装置であって、前記複数のライン状光源が、それぞれ異なる色相の光を発光するものであることとしてもよい。
【発明の効果】
【００１２】
本発明によれば、複数の発光素子から発せられた光を感光性記録材料に露光することによって該感光性記録材料上に画像を記録する露光装置において、感光性記録材料の移動方向と略垂直な方向に発光素子が複数配設されたライン状光源が、感光性記録材料の移動方向にｎ列（ｎは２以上の整数）配置され、ライン状光源が順次発光して記録される記録画素の中心間距離をＰとしたとき、隣り合うライン状光源の中心間距離Ｌｉが、ライン状光源の発光順が感光性記録材料の移動と同じ向きのとき「Ｌｉ＝｛ｋｉ＋（１／２）・（ｔｉ＋ｔｉ＋１）／Ｔ｝・Ｐ（但し、ｉは１≦ｉ≦ｎ−１の整数、ｋｉは１以上の整数、ｔｉはｉ列目のライン状光源の露光時間、ＴはΣｔｉ＋１）」とし、ライン状光源の発光順が感光性記録材料の移動と逆向きのとき「Ｌｉ＝｛ｋｉ−（１／２）・（ｔｉ＋ｔｉ＋１）／Ｔ｝・Ｐ」として各ライン状光源Ｅの中心間距離Ｌｉを設定することにより、各ライン状光源によって露光時間が異なる場合でも記録される画素の位置ずれを防ぐことができる。
【００１３】
従来、発光効率の悪い発光素子によって構成されるライン状光源が存在すると、記録される画像の色バランスが悪くなり、画質の低下を招いていたが、発光効率の悪い発光素子によって構成されたライン状光源の露光時間を他のライン状光源より長くし、各ライン状光源の中心間距離を上式に基づいて設定することにより、記録される画素の位置ずれを起こすことなく画像の色バランスの調整が可能となり、画質を向上させることができる。
【発明を実施するための最良の形態】
【００１４】
以下、図面を参照して本発明の露光装置について説明する。
【００１５】
＜第１の実施の形態＞
図１は、本発明の第１の実施の形態による露光装置１００の一部破断正面形状を示すものである。図２は、露光装置１００の一部破断側面形状を示している。露光装置１００は、露光ヘッド１と、この露光ヘッド１から射出した露光光２の照射を受ける位置に保持された感光材料（感光性記録材料）３を図２の矢印Ｙ方向に定速で搬送する副走査手段４とを備えている。露光ヘッド１は、有機ＥＬ素子パネル６と、レンズアレイ７と、有機ＥＬ素子パネル６及びレンズアレイ７を保持する保持手段８（図２では不図示）とを備えている。レンズアレイ７は、有機ＥＬ素子パネル６から出射した露光光２を受ける位置に配設され、露光光２による像を感光材料３の上に等倍で結像させる。
【００１６】
本実施の形態の露光装置１００は、感光材料３にカラー画像を露光するものである。露光ヘッド１を構成する有機ＥＬ素子パネル６には、感光材料３の移動方向（矢印Ｙ方向）と略垂直の方向に同じ色相の光を発光する複数の有機ＥＬ素子２０が並設され、ライン状光源Ｅ１を構成する。同様のライン状光源Ｅ１、Ｅ２、・・、Ｅｎ（ｎは２以上の整数。以下、包括的に「ライン状光源Ｅ」と表記する。）が感光材料３の移動方向に沿って配設される。複数のライン状光源Ｅのうち、少なくとも１つのライン状光源Ｅが他のライン状光源Ｅと異なる色相の光を発光することとしてもよいし、複数のライン状光源Ｅがそれぞれ異なる色相の光を発光するものとしてもよい。
【００１７】
また、本実施の形態では、発光素子として有機ＥＬ素子を用いて説明するが、これに限定されるものではなく、例えば、無機ＥＬ素子、発光ダイオード（ＬＥＤ）、液晶やＰＬＺＴ等の調光素子と光源との組み合わせからなる素子等が適用可能である。有機ＥＬ素子２０は、ガラス等からなる透明基板１０の上に、透明陽極２１と、発光層を含む有機化合物層２２と、金属陰極２３とが蒸着により積層されてなるものである。
【００１８】
各ライン状光源Ｅは、図１に示す駆動回路３０によって駆動される。駆動回路３０は、走査電極となる金属陰極２３を所定の周期で順次選択状態に設定する陰極ドライバと、画像データＤｂに基づいて透明陽極２１に階調電圧を印加する陽極ドライバとを備えている。ライン状光源Ｅは、いわゆるパッシブマトリクス線順次選択駆動方式により駆動される。また駆動回路３０の動作は、上記画像データＤｂを出力する制御部３１によって制御される。
【００１９】
有機ＥＬ素子２０は、例えばステンレス製の缶等からなる封止部材２５内に配置されている。つまり、この封止部材２５の縁部と透明基板１０とが接着され、乾燥窒素ガスが充填された封止部材２５内に有機ＥＬ素子２０が配置される。
【００２０】
上記構成の有機ＥＬ素子２０は、金属陰極２３と、それを横切るように延びる透明陽極２１との間に電圧が印加されると、電圧が印加された両電極の交差部分の有機化合物層２２に電流が流れ、そこに含まれる発光層が発光する。この発光光は透明陽極２１及び透明基板１０を透過して、露光光２として出射される。
【００２１】
次に、露光装置１００の動作について説明する。図３は各ライン状光源Ｅの発光タイミングと記録される画素の位置の関係を示した図であり、図３中の露光ヘッド１は主走査方向と平行した向きから見た露光ヘッド１を示している。露光ヘッド１には感光材料３の移動方向（矢印Ｙ方向）に沿ってライン状光源Ｅ１、Ｅ２、・・、Ｅｎ−１、Ｅｎが配設される。各ライン状光源Ｅの副走査方向の長さはそれぞれｘ１、ｘ２、・・、ｘｎである。また、隣り合うライン状光源Ｅの間隔はそれぞれｃ１、ｃ２、・・、ｃｎである。
【００２２】
まず、駆動回路３０の陰極ドライバによってライン状光源Ｅ１の金属陰極２３が選択状態とされる。そして、駆動回路３０の陽極ドライバは、各金属陽極２１に対して画像データＤｂに基づいた階調電圧を印加する。これにより階調電圧に基づいた輝度の光が各有機化合物層２２から発光され、露光光２として露光ヘッド１から射出される。露光ヘッド１から射出された露光光２はレンズアレイ７によって結像され、感光材料３上に照射される。図３（１）は、ライン状光源Ｅ１による露光開始直後に記録された画素Ｇ１を示している。尚、図３（１）〜（６）においては、説明を分かりやすくするために、各ライン状光源Ｅによって記録された画素として１つの有機ＥＬ素子２０に対応した画素Ｇ１、Ｇ２、・・、Ｇｎを示している。画素Ｇ１は感光材料３の移動方向に沿ってｘ１の長さで記録される。
【００２３】
ライン状光源Ｅ１の露光光２は露光時間ｔ１の間射出される。露光ヘッド１と感光材料３は常に相対的に移動しているため、時間ｔ１後の画素Ｇ１の感光材料３の移動方向に沿った長さは、時間ｔ１の間に感光材料３が移動した距離Δｘ１分だけ長くなる（図３（２））。
【００２４】
ライン状光源Ｅ１による露光が終了すると、駆動回路３０の陰極ドライバによってライン状光源Ｅ２の金属陰極２３が選択される。そして、駆動回路３０の陽極ドライバは、各金属陽極２１に対して画像データＤｂに基づいた階調電圧を印加する。これにより階調電圧に基づいた輝度の光が各有機化合物層２２から発光され、露光光２として露光ヘッド１から射出される。図３（２）は、ライン状光源Ｅ２による露光開始直後に記録された画素Ｇ２を示している。画素Ｇ２は、画素Ｇ１から感光材料３の移動方向にライン状光源Ｅ１とライン状光源Ｅ２の間隔ｃ１分だけ離れた位置に記録される。
【００２５】
ライン状光源Ｅ２の露光光２は露光時間ｔ２の間射出される。露光ヘッド１と感光材料３は常に相対的に移動しているため、時間ｔ２後の画素Ｇ２の感光材料３の移動方向に沿った長さは、時間ｔ２の間に感光材料３が移動した距離Δｘ２分だけ長くなる（図３（３））。ライン状光源Ｅ２による露光が終了すると、駆動回路３０の陰極ドライバによってライン状光源Ｅ３の金属陰極２３が選択されて、ライン状光源Ｅ３から露光光２が射出され、画素Ｇ３が記録される。画素Ｇ３は、画素Ｇ２から感光材料３の移動方向にライン状光源Ｅ２とライン状光源Ｅ３の間隔ｃ２分だけ離れた位置に記録される。以下、同様にしてライン状光源Ｅｎまで順次露光光２が射出され、画素が記録される。
【００２６】
ライン状光源Ｅｎの露光が終了すると、再びライン状光源Ｅ１の露光が開始され、図３（６）に示すように画素Ｇ１１が記録される。尚、実際は画素Ｇ１１は画素Ｇ１の図３（６）における紙面左隣に記録されるが、時間の経過を表す為に紙面下方にずらして図示している。以下、ライン状光源Ｅ２からライン状光源Ｅｎについて上述した動作が繰り返される。
【００２７】
ここで、各ライン状光源Ｅを構成する各有機ＥＬ素子２０において、他の有機ＥＬ素子２０に比べて発光効率の悪い有機ＥＬ素子２０が存在すると、感光材料３に記録された画像の色バランスが悪くなり、画質の低下を招いてしまう。
【００２８】
記録される画像の色バランスを調整するために、発光効率の悪い有機ＥＬ素子２０によって構成されたライン状光源Ｅの露光時間を調節する方法がある。しかしながら、一部のライン状光源Ｅに対して異なる露光時間を設定すると、画素の位置ずれが発生してしまう。例えば、図３において、ライン状光源Ｅ３の露光時間ｔ３を他のライン状光源Ｅの露光時間より長くしたとする。すると、例えば画素Ｇ２に対して画素Ｇ１１の位置がずれる等、異なる色の画素間において位置ずれが生じてしまう。
【００２９】
そこで、各ライン状光源Ｅの露光時間に基づいて隣り合うライン状光源Ｅの中心間距離を設定することにより、各ライン状光源Ｅの露光時間が異なる場合でも画素の位置ずれが起こらないようにする。以下、各ライン状光源Ｅの露光時間に基づいた隣り合うライン状光源Ｅの中心間距離の計算方法について説明する。
【００３０】
感光材料３上に記録された画素（画像データの解像度に対応した画素）の感光材料３の移動方向に沿った画素ピッチをＰ、感光材料３の移動速度をｖ、１サイクルにかかる露光時間（ライン状光源Ｅ１の露光開始からライン状光源Ｅｎの露光終了までにかかる時間）をＴとすると、以下の式が成り立つ。
【００３１】
Ｐ＝ｖ・Ｔ    ・・・（１）
また、ｎ列あるライン状光源Ｅが順次発光して露光を行うため、各ライン状光源Ｅの露光時間をｔｉ（ｉは１≦ｉ≦ｎ−１の整数）とすると、
Ｔ＝Σｔｉ＋１    ・・・（２）
となる。
【００３２】
また、ライン状光源Ｅ１の露光時間ｔ１の間に感光材料３が移動する距離Δｘ１は、
Δｘ１＝（ｔ１／Ｔ）・Ｐ    ・・・（３）
となる。更に、ライン状光源Ｅ２の露光時間ｔ２の間に感光材料３が移動する距離Δｘ２は、
Δｘ２＝（ｔ２／Ｔ）・Ｐ    ・・・（４）
となる。
【００３３】
ここで、画素Ｇ１と画素Ｇ２の中心間距離をｌ１とすると、
ｌ１＝｛（ｘ１＋Δｘ１）／２｝＋ｃ１＋｛（ｘ２＋Δｘ２）／２｝  ・・・（５）
式（６）に式（３）及び（４）を代入すると
ｌ１＝［ｘ１＋｛（ｔ１／Ｔ）・Ｐ｝］／２＋ｃ１＋［ｘ２＋｛（ｔ２／Ｔ）・Ｐ｝］／２
＝｛（ｘ１＋ｘ２）／２｝＋ｃ１＋｛Ｐ・（ｔ１＋ｔ２）｝／２Ｔ    ・・・（６）
ライン状光源Ｅ１とライン状光源Ｅ２の中心間距離をＬ１とすると、
Ｌ１＝｛（ｘ１＋ｘ２）／２｝＋ｃ１    ・・・（７）
であるため、式（７）を式（６）に代入すると、
ｌ１＝Ｌ１＋｛Ｐ・（ｔ１＋ｔ２）｝／２Ｔ    ・・・（８）
となる。他の隣り合う画素の中心間距離も同様に、
ｌｉ＝Ｌｉ＋｛Ｐ・（ｔｉ＋ｔｉ＋１）｝／２Ｔ    ・・・（９）
となる。
【００３４】
ここで、各ライン状光源Ｅによって記録される画素が、副走査方向に位置ずれを起こさないように記録されるためには、各ライン状光源Ｅの中心間距離が画素ピッチＰの整数倍であることが必要である。従って、
Ｌｉ＋｛Ｐ・（ｔｉ＋ｔｉ＋１）｝／２Ｔ＝ｋｉ・Ｐ    ・・・（１０）
の条件が満たされる必要がある。ここでｋｉは重ね合わせずらしの数であり、１以上の整数である。
【００３５】
式（１０）より各ライン状光源Ｅの中心間距離Ｌｉを求めると、
Ｌｉ＝｛ｋｉ−（１／２）・（ｔｉ＋ｔｉ＋１）／Ｔ｝・Ｐ    ・・・（１１）
となる。式（１１）を満足するように各ライン状光源Ｅの中心間距離Ｌｉを設定することにより、ライン状光源Ｅによって露光時間が異なる場合でも記録される画素の位置ずれを防ぐことができる。尚、式（１１）は、ライン状光源Ｅの発光順が感光材料３の移動と逆向き（即ち、複数のライン状光源Ｅのうち発光するライン状光源Ｅが感光材料３の移動する向きと逆の方向に順次切り替わる）場合に適用される式である。ライン状光源Ｅの発光順が感光材料３の移動と同じ向き（即ち、複数のライン状光源Ｅのうち発光するライン状光源Ｅが移動する感光材料３を追いかけるように順次切り替わる）場合は、以下の式（１２）が適用される。
【００３６】
Ｌｉ＝｛ｋｉ＋（１／２）・（ｔｉ＋ｔｉ＋１）／Ｔ｝・Ｐ    ・・・（１２）
以上、説明したように、ライン状光源Ｅの発光順序と感光材料３の移動方向に応じて式（１１）又は式（１２）に従って各ライン状光源Ｅの中心間距離Ｌｉを設定することにより、ライン状光源Ｅによって露光時間が異なる場合でも記録される画素の位置ずれを防ぐことができる。従来、発光効率の悪い有機ＥＬ素子２０によって構成されるライン状光源Ｅが存在すると、記録された画像の色バランスが悪くなり、画質の低下を招いていたが、発光効率の悪い有機ＥＬ素子２０によって構成されたライン状光源Ｅの露光時間を長くし、式（１１）又は式（１２）を用いて各ライン状光源Ｅの中心間距離を設定することにより、記録される画素の位置ずれを起こすことなく画像の色バランスの調整が可能となり、画質を向上させることができる。
【００３７】
＜第２の実施の形態＞
第１の実施の形態では、露光ヘッド１はライン状光源Ｅをｎ列備え、各ライン状光源Ｅの副走査方向に沿った幅をｘｉ、隣り合うライン状光源Ｅの間隔をｃｉ、各ライン状光源Ｅの露光時間がｔｉのときの各ライン状光源Ｅの中心間距離の求め方について説明した。本実施の形態では、露光ヘッド１はライン状光源を３列備え、各ライン状光源の副走査方向に沿った幅は全てｘ、隣り合うライン状光源の間隔は全てｃ（等間隔）であり、中央のライン状光源の露光時間のみ、他のライン状光源の露光時間の３倍としたときの各ライン状光源Ｅの中心間距離の計算方法について説明する。尚、本実施の形態の露光装置は第１の実施の形態において説明した露光装置１００と同一の構成であるため、説明を省略する。
【００３８】
図４は、本実施の形態の露光ヘッド１を主走査方向と平行した向きから見た概略図である。各ライン状光源Ｅ１〜３（以下、包括的に「ライン状光源Ｅ」と表記する。）は、少なくとも１つのライン状光源が他のライン状光源と異なる色相の光を発光する。または、例えば青、赤、緑などそれぞれ異なる色の光を発する。各ライン状光源Ｅの感光材料３の移動方向（矢印Ｙ方向）に沿った長さはｘ、各ライン状光源Ｅの間隔はｃである。
【００３９】
まず、＜露光条件１＞として各ライン状光源Ｅの露光時間ｔ１、ｔ２及びｔ３を全てｔとする。そして＜露光条件１＞における各ライン状光源Ｅの中心間距離Ｌを式（１１）より求める。例えば、ｋ＝２、Ｐ＝５０［ｕｍ］とする。Ｔ＝３ｔであるため、式（１１）より、
Ｌ＝｛ｋｉ−（１／２）・（ｔｉ＋ｔｉ＋１）／Ｔ｝・Ｐ
＝｛２−（１／２）・（２ｔ／３ｔ）｝×５０
＝８３．３３［ｕｍ］    ・・（１３）
となる。
【００４０】
次に、＜露光条件２＞として、ライン状光源Ｅ１及びＥ３の露光時間ｔ１及びｔ３をｔとする。そして、例えば、ライン状光源Ｅ２を構成する有機ＥＬ素子２０の発光効率がライン状光源Ｅ１及びＥ３を構成する有機ＥＬ素子２０の発光効率より悪い等の理由で、ライン状光源Ｅ２の露光時間ｔ２を他のライン状光源Ｅの露光時間の３倍である３ｔとする。そして＜露光条件２＞における各ライン状光源Ｅの中心間距離Ｌを式（１１）より求める。例えば、ｋ＝２、Ｐ＝５０［ｕｍ］とする。Ｔ＝ｔ１＋ｔ２＋ｔ３＝５ｔであるため、式（１１）より、
Ｌ１＝｛ｋ−（１／２）・（ｔ１＋ｔ２）／Ｔ｝・Ｐ
＝｛２−（１／２）・（４ｔ／５ｔ）｝×５０
＝８０［ｕｍ］    ・・・（１４ａ）
Ｌ２＝｛ｋ−（１／２）・（ｔ２＋ｔ３）／Ｔ｝・Ｐ
＝｛２−（１／２）・（４ｔ／５ｔ）｝×５０
＝８０［ｕｍ］    ・・・（１４ｂ）
となる。
【００４１】
図５を用いて詳しく説明する。図５は各ライン状光源Ｅによって記録された画素を示したものである。本来は各画素は重なり合うが、説明を分かりやすくするために、横にずらして示している。また、画素Ｇｂはライン状光源Ｅ１によって記録された画素、画素Ｇｒはライン状光源Ｅ２によって記録された画素、画素Ｇｇはライン状光源Ｅ３によって記録された画素である。図５（ａ）は、各ライン状光源Ｅの中心間距離Ｌを８３．３３［ｕｍ］とし、上記＜露光条件１＞に従って露光を行ったときに記録される各画素を示している。各画素の中心位置は一致し、画素の位置ずれは発生していない。
【００４２】
図５（ｂ）は、各ライン状光源Ｅの中心間距離Ｌを８３．３３［ｕｍ］とし、上記＜露光条件２＞に従ってライン状光源Ｅ１及びＥ３の露光時間ｔ１及びｔ３をｔ、ライン状光源Ｅ２の露光時間ｔ２を３ｔとしたときに記録される各画素を示している。上記＜露光条件２＞に従って露光を行う場合、各ライン状光源Ｅの中心間距離は８０［ｕｍ］としなければならないことは上述の式（１４ａ）及び式（１４ｂ）により証明した。しかし、各ライン状光源の中心間距離をライン状光源Ｅの各露光時間が同一であるときに適用される８３．３３［ｕｍ］としたために画素の位置にずれが生じている。即ち、画素Ｇｂと画素Ｇｒの中心位置は３．３３［ｕｍ］、画素Ｇｒと画素Ｇｂの中心位置は３．３３［ｕｍ］ずれ、画素Ｇｂと画素Ｇｇの中心位置は６．６６［ｕｍ］ずれてしまう。
【００４３】
図５（ｃ）は、各ライン状光源Ｅの中心間距離Ｌを８０［ｕｍ］とし、上記＜露光条件２＞に従って露光を行ったときに記録される各画素を示している。各画素の中心位置は一致し、画素の位置ずれは発生していない。
【００４４】
以上、露光ヘッド１が３列のライン状光源Ｅを備え、中央のライン状光源Ｅの露光時間のみ、他のライン状光源Ｅの露光時間の３倍としたときの各ライン状光源Ｅの中心間距離Ｌについて説明した。一般化して、中央のライン状光源Ｅの露光時間を、他のライン状光源Ｅの露光時間のｑ倍としたときの各ライン状光源Ｅの中心間距離Ｌは、以下の式で求められる。
【００４５】
Ｌ＝｛ｋ＋（１／２）・（ｑ＋１）／（ｑ＋２）｝・Ｐ    ・・・（１５）
但し、ｋは重ね合わせずらし数であり、１以上の整数である。尚、式（１５）は、ライン状光源Ｅの発光順が感光材料３の移動と同じ向き（即ち、複数のライン状光源Ｅのうち発光するライン状光源Ｅが移動する感光材料３を追いかけるように順次切り替わる）場合に適用される式である。ライン状光源Ｅの発光順が感光材料３の移動と逆向き（即ち、複数のライン状光源Ｅのうち発光するライン状光源Ｅが感光材料３の移動する向きと逆の方向に順次切り替わる）場合は、以下の式が適用される。
【００４６】
Ｌ＝｛ｋ−（１／２）・（ｑ＋１）／（ｑ＋２）｝・Ｐ    ・・・（１６）
以上、説明したように、露光ヘッド１は３列のライン状光源Ｅを備え、中央のライン状光源Ｅの露光時間が他のライン状光源Ｅの露光時間のｑ倍としたとき、ライン状光源Ｅの発光順序と感光材料３の移動方向に応じて式（１５）又は式（１６）に従って各ライン状光源Ｅの中心間距離Ｌを設定することにより、各ライン状光源Ｅによって露光時間が異なる場合でも記録される画素の位置ずれを防ぐことができる。従って、記憶された画像の画質を向上させることができる。
【図面の簡単な説明】
【００４７】
【図１】露光装置の一部破断正面形状を示した図
【図２】露光装置の一部破断側面形状を示した図
【図３】第１の実施の形態における各ライン状光源の発光タイミングと画素の位置の関係を示した図
【図４】第２の実施の形態におけるライン状光源の配置位置を説明するための図
【図５】第２の実施の形態における各ライン状光源によって記録された画素の位置を説明するための図
【符号の説明】
【００４８】
１００    露光装置
１        露光ヘッド
２        露光光
４        副走査手段
６        有機ＥＬ素子パネル
７        レンズアレイ
２０      有機ＥＬ素子
２１      透明陽極
２２      有機化合物層
２３      金属陰極
３０      駆動回路
３１      制御部
【図１】
2006259322.tif 000003
【図２】
2006259322.tif 000004
【図３】
2006259322.tif 000005
【図４】
2006259322.tif 000006
【図５】
2006259322.tif 000007